(57)【要約】【課題】デジタルカメラ、カメラ付き携帯電話機等の撮影装置により取得した画像を、撮影姿勢に拘わらず正視可能なように再生できるようにする。【解決手段】携帯電話機１に第１から第３のレリーズボタン１２Ａ，１７，１８を設ける。携帯電話機１の撮影姿勢に応じて押下するレリーズボタンを異なるものとする  撮影時にいずれのレリーズボタンが押下されたかに応じて、撮影により取得される画像データに対して、再生時に正しい天地方向となるように画像データを回転させるための回転情報を生成し、回転情報を画像データに付与する。再生時には回転情報を参照して正しい天地方向となるように画像データを回転する。【選択図】          図１
2004336536.tif 000002
【特許請求の範囲】
【請求項１】
撮像素子により被写体を撮影して該被写体の画像を表す画像データを取得する撮影手段を備えた撮影装置において、
撮影姿勢に応じた複数の位置にそれぞれ設けられた、前記撮影手段に撮影動作を行わせる複数のレリーズ手段と、
前記複数のレリーズ手段のうち、撮影時に操作された操作レリーズ手段の位置に応じて、前記画像データに再生時に正視可能とする処理を施す処理手段とを備えたことを特徴とする撮影装置。
【請求項２】
前記処理手段は、前記操作レリーズ手段の位置を検出する検出手段と、
該検出手段が検出した位置に基づいて、再生時に正視可能とするために必要な前記画像データの回転に関する回転情報を生成する回転情報生成手段と、
前記正視可能とする処理として、前記回転情報を前記画像データに付与する付与手段とを備えたことを特徴とする請求項１記載の撮影装置。
【請求項３】
前記回転情報生成手段は、前記撮像素子の向きに応じて前記回転情報を生成する手段であることを特徴とする請求項２記載の撮影装置。
【請求項４】
前記処理手段は、前記操作レリーズ手段の位置を検出する検出手段と、
前記正視可能とする処理として、該検出手段が検出した位置に基づいて、再生時に正視可能なように前記画像データを回転する回転処理手段とを備えたことを特徴とする請求項１記載の撮影装置。
【請求項５】
前記回転処理手段は、前記撮像素子の向きに応じて前記画像データを回転する手段であることを特徴とする請求項４記載の撮影装置。
【請求項６】
種々の操作を受け付けるタッチパネルをさらに備え、
前記複数のレリーズ手段がタッチパネルに表示されてなることを特徴とする請求項１から５のいずれか１項記載の撮影装置。
【請求項７】
前記複数のレリーズ手段が、前記撮影姿勢を表すマークにより前記タッチパネルに表示されてなることを特徴とする請求項６記載の撮影装置。
【請求項８】
携帯端末装置であることを特徴とする請求項１から７のいずれか１項記載の撮影装置。
【請求項９】
デジタルカメラであることを特徴とする請求項１から７のいずれか１項記載の撮影装置。
【請求項１０】
撮像素子により被写体を撮影して該被写体の画像を表す画像データを取得する撮影方法において、
撮影時において、撮影姿勢に応じた複数の位置にそれぞれ設けられた、前記撮影手段に撮影動作を行わせる複数のレリーズ手段のうちのいずれかのレリーズ手段の操作を受け付け、
前記複数のレリーズ手段のうち、撮影時に操作された操作レリーズ手段の位置に応じて、前記画像データに再生時に正視可能とする処理を施すことを特徴とする撮影方法。
【請求項１１】
撮像素子により被写体を撮影して該被写体の画像を表す画像データを取得する撮影方法をコンピュータに実行させるためのプログラムにおいて、
撮影時において、撮影姿勢に応じた複数の位置にそれぞれ設けられた、前記撮影手段に撮影動作を行わせる複数のレリーズ手段のうちのいずれかのレリーズ手段の操作を受け付ける手順と、
前記複数のレリーズ手段のうち、撮影時に操作された操作レリーズ手段の位置に応じて、前記画像データに再生時に正視可能とする処理を施す手順とを有することを特徴とするプログラム。
【発明の詳細な説明】
【０００１】
【発明の属する技術分野】
本発明は、撮影により被写体を表す画像データを取得するデジタルカメラ、例えばカメラ付きの携帯電話機やＰＤＡのような携帯端末装置等の撮影装置および撮影方法並びに撮影方向をコンピュータに実行させるためのプログラムに関するものである。
【０００２】
【従来の技術】
デジタルカメラ等の撮影装置は、通常の撮影姿勢においては横長の画像が取得され、この画像がメモリカードや内部メモリ等の記録媒体に記録されて保管される。また、画像を再生するモニタも横長であるため、撮影装置により取得された画像はモニタにおいて横長に再生される。このため、縦長の画像が取得されるような撮影姿勢により撮影を行った場合には、記録媒体に記録される画像は縦横が逆となり、その画像をモニタに再生すると縦横が逆、すなわち縦長で正視することができる画像が横長で表示されてしまい、回転させなければ画像が観察しにくいものとなる。
【０００３】
このため、縦横いずれの向きに構えても天地方向が正しい画像を再生することができるように、液体スイッチ等からなる姿勢検出センサを設け、このセンサにより撮影姿勢を検出し、この検出出力を撮影により取得した画像データの向きを指定する情報として画像データとともに記録するようにしたデジタルカメラが提案されている（特許文献１参照）。また、おもりの重力を利用してカメラの向きに応じて接点が切り替わるセンサを設け、このセンサにより撮影姿勢を検出して、記録媒体に記録された画像の読み出し方向を指定する情報を生成し、この情報を利用して天地方向が正しい画像を再生することができるようにしたデジタルカメラも提案されている（特許文献２参照）。
【０００４】
一方、携帯電話機の普及には目覚ましいものがあるが、近年、撮影により画像データを取得する撮影手段を有するカメラ付き携帯電話機が普及しつつある。このようなカメラ付き携帯電話機を用いることにより、撮影により取得した自分の好みの画像データを携帯電話機の待ち受け画面に設定したり、撮影により取得した画像データを電子メールに添付して友人に送信したりできるため、友人とのコミュニケーションを図るのに便利である。
【０００５】
【特許文献１】
特公昭４−１２６７３号公報
【０００６】
【特許文献２】
特許第２７３１５３号公報
【０００７】
【発明が解決しようとする課題】
しかしながら、上記特許文献１，２に記載されたデジタルカメラにおいては、液体センサやおもりを利用したセンサのような姿勢検出センサをカメラに内蔵させる必要があるため、カメラが大型化するという問題がある。
【０００８】
ところで、カメラ付きの携帯電話機においても、撮影姿勢に応じて再生される画像の縦横が逆となってしまうという問題が生じる。このため、上記特許文献１，２に記載されたデジタルカメラにおいて行われる処理をカメラ付き携帯電話機において行うことにより、縦横が逆でない、すなわち天地方向が正しい画像を再生することができる。
【０００９】
しかしながら、携帯電話機は、カメラに設けられているＣＣＤ等の撮像素子の取り付け方向や撮像素子からの画像データの読み出し方向が機種によって異なるため、携帯電話機の撮影姿勢に応じた天地方向と再生時の画像の天地方向とが必ずしも一致しない場合がある。例えば、図１７（ａ）に示すようにＣＣＤ２００が縦長に内蔵された携帯電話機において、図１７（ｂ）に示すように、ＣＣＤ２００の下から上に向けて左のラインから右へ向けて順次画像データを読み出して、図１７（ｃ）に示すように画像の左上隅を原点として読み出した順に画像データを横長に生成する場合を考える。このような場合において、携帯電話機を図１８（ａ）に示すように縦に構えた通常の撮影姿勢により撮影を行った場合、得られる画像を再生すると、通常の撮影姿勢により撮影したにも拘わらず、再生される画像は縦横が逆となって天地方向が撮影時とは異なるものとなる。一方、図１８（ｂ）に示すように携帯電話機を横長に構えた撮影姿勢により撮影を行った場合には、得られる画像を再生すると天地方向は正しいものとなる。このため、とくに携帯電話機においては撮像素子が内蔵された方向を考慮しなければ正しい天地方向の画像を再生することができない。
【００１０】
本発明は上記事情に鑑みなされたものであり、デジタルカメラ、カメラ付き携帯電話機等の撮影装置により取得した画像を、正しい天地方向となるように再生できるようにすることを目的とする。
【００１１】
【課題を解決するための手段】
本発明による撮影装置は、撮像素子により被写体を撮影して該被写体の画像を表す画像データを取得する撮影手段を備えた撮影装置において、
撮影姿勢に応じた複数の位置にそれぞれ設けられた、前記撮影手段に撮影動作を行わせる複数のレリーズ手段と、
前記複数のレリーズ手段のうち、撮影時に操作された操作レリーズ手段の位置に応じて、前記画像データに再生時に正視可能とする処理を施す処理手段とを備えたことを特徴とするものである。
【００１２】
「撮影姿勢に応じた複数位置」とは、本発明による撮影装置を撮影者が種々の撮影姿勢となるように構えた際に、各撮影姿勢において撮影動作を比較的容易に行うことが可能な位置をいう。例えば、どのような撮影姿勢であっても、右手により操作が可能な位置を「撮影姿勢に応じた複数位置」として用いることができるが、これに限定されるものではない。
【００１３】
「再生時に正視可能とする処理」とは、画像データを正しい天地方向となるように再生することを可能とする処理をいう。
【００１４】
なお、本発明による撮影装置においては、前記処理手段を、前記操作レリーズ手段の位置を検出する検出手段と、
該検出手段が検出した位置に基づいて、再生時に正視可能とするために必要な前記画像データの回転に関する回転情報を生成する回転情報生成手段と、
前記正視可能とする処理として、前記回転情報を前記画像データに付与する付与手段とを備えるものとしてもよい。
【００１５】
この場合、前記回転情報生成手段を、前記撮像素子の向き、すなわち通常の撮影姿勢において撮像素子が撮影装置に縦長となるように設けられているか横長となるように設けられているかに応じて前記回転情報を生成する手段としてもよい。
【００１６】
また、本発明による撮影装置においては、前記処理手段を、前記操作レリーズ手段の位置を検出する検出手段と、
前記正視可能とする処理として、該検出手段が検出した位置に基づいて、再生時に正視可能なように前記画像データを回転する回転処理手段とを備えるものとしてもよい。
【００１７】
この場合、前記回転処理手段を、前記撮像素子の向きに応じて前記画像データを回転する手段としてもよい。
【００１８】
「画像データを回転する」処理とは、撮像素子から読み出した画像データを回転する処理のみならず、撮像素子からデータを回転させつつ読み出して、生成された時にはすでに回転されている画像を表す画像データを得る処理も含む。
【００１９】
また、本発明による撮影装置においては、種々の操作を受け付けるタッチパネルをさらに備え、
前記複数のレリーズ手段がタッチパネルに表示されてなるものとしてもよい。
【００２０】
この場合、前記複数のレリーズ手段を、前記撮影姿勢を表す記号、文字、画像等のマークにより前記タッチパネルに表示してもよい。
【００２１】
また、本発明による撮影装置を携帯端末装置に適用してもよく、デジタルカメラに適用してもよい。
【００２２】
本発明による撮影方法は、撮像素子により被写体を撮影して該被写体の画像を表す画像データを取得する撮影方法において、
撮影時において、撮影姿勢に応じた複数の位置にそれぞれ設けられた、前記撮影手段に撮影動作を行わせる複数のレリーズ手段のうちのいずれかのレリーズ手段の操作を受け付け、
前記複数のレリーズ手段のうち、撮影時に操作された操作レリーズ手段の位置に応じて、前記画像データに再生時に正視可能とする処理を施すことを特徴とするものである。
【００２３】
なお、本発明による撮影方法をコンピュータに実行させるためのプログラムとして提供してもよい。
【００２４】
【発明の効果】
本発明によれば、撮影姿勢に応じた複数の位置のそれぞれに、撮影手段に撮影動作を行わせる複数のレリーズ手段が設けられており、撮影時に操作された操作レリーズ手段の位置に応じて、画像データに再生時に正視可能とする処理を施すようにしたものである。このため、特許文献１，２に記載されたデジタルカメラのように、液体センサやおもりを利用したセンサのような大がかりなセンサを設けなくても、撮影姿勢に拘わらず天地方向が正しい正視可能な画像を再生することができる。
【００２５】
とくに、操作レリーズ手段の位置に基づいて、再生時に画像データを正視可能とするために必要な回転に関する回転情報を生成し、正視可能とする処理として、回転情報を画像データに付与する処理とすれば、回転情報を参照することにより天地方向が正しい画像を再生することが可能となる。
【００２６】
この場合、撮像素子の向きに応じて回転情報を生成することにより、撮像素子の向きに拘わらず再生時に正視可能なように回転情報に基づいて画像データを回転することができる。
【００２７】
また、操作レリーズ手段の位置に基づいて、再生時に正視可能なように画像データを回転することにより、再生時において画像データに対して何ら処理を施さなくても天地方向が正しい画像を再生することが可能となる。
【００２８】
また、撮像素子の向きに応じて画像データを回転することにより、撮像素子の向きに拘わらず再生時に正視可能なように画像データを回転することができる。
【００２９】
また、タッチパネルをさらに備えるものとし、複数のレリーズ手段をタッチパネルに表示することにより、視覚的に撮影動作を行うことができる。
【００３０】
この場合、複数のレリーズ手段を撮影姿勢を表すマークによりタッチパネルに表示すれば、どのレリーズ手段を操作すれば天地方向が正しい画像を再生可能なように撮影を行うことができるかを一見して認識できる。したがって、撮影動作を行いやすくすることができる。
【００３１】
また、本発明による撮影装置を、携帯電話機やＰＤＡ等の携帯端末装置とすることにより、携帯端末装置の撮影姿勢に拘わらず、画像データを再生時に正視可能とすることができる。
【００３２】
また、本発明による撮影装置を、デジタルカメラとすることにより、デジタルカメラの撮影姿勢に拘わらず、画像データを再生時に正視可能とすることができる。
【００３３】
【発明の実施の形態】
以下図面を参照して本発明の実施形態について説明する。図１は本発明の第１の実施形態による撮影装置を適用したカメラ付きの携帯電話機の構成を示す図であり、（ａ）は正面図、（ｂ）は左側面図、（ｃ）は背面図、（ｄ）は右側面図である。図１に示すように本発明の第１の実施形態による携帯電話機１は、正面側に、液晶モニタ（ＬＣＤ）等からなる表示部１１と、電話番号や文字を入力する数字キーや、通話モード、メールモード、撮影モード等のモードを切り替えるためのスイッチ等からなる複数の操作ボタンを有する操作ボタン群１２と、音声を発するスピーカ１３と、音声を集音するマイク１４とを備える。なお、操作ボタン群１２のうちの操作ボタン１２Ａは後述するように携帯電話機１を撮影モードに切り替えた際に、カメラに撮影動作を行わせるためのレリーズボタンとしても機能する。このため、操作ボタン１２Ａを第１のレリーズボタンと称するものとする。
【００３４】
一方、携帯電話機１の背面側には、時計や着信状態を表示するための液晶表示部１５と、被写体を撮影するための撮影部１６が設けられており、左側面には撮影部１６に撮影動作を行わせる第２のレリーズボタン１７が、右側面には撮影部１６に撮影動作を行わせる第３のレリーズボタン１８がそれぞれ設けられている。
【００３５】
図２は、第１の実施形態による携帯電話機１における撮影に関わる部分の構成を示すブロック図である。撮影レンズ２２は、１枚または複数枚のレンズで構成される。撮影レンズ２２は、単一の焦点距離（固定焦点）のレンズでもよいし、ズームレンズや望遠／広角の二焦点切替式レンズの如く焦点距離可変のものでもよい。撮影レンズ２２を通過した光は、絞り２４により光量が調節された後、ＣＣＤやＣＭＯＳ等からなる撮像素子２６に入射する。撮像素子２６の受光面には、フォトセンサが平面的に配列されており、撮像素子２６の受光面に結像された被写体像は、各フォトセンサによって入射光量に応じた量の信号電荷に変換される。こうして蓄積された信号電荷は、撮像素子駆動部２８から与えられるパルスに基づいて信号電荷に応じた電圧信号として順次読み出される。
【００３６】
なお、撮像素子２６は、表示部１１を縦長に観察することができる状態、すなわち通常の使用状態において、図３（ａ）に示すように縦長となるように携帯電話機１に内蔵されており、撮影時における信号の読み出しは、図３（ｂ）に示すように撮像素子２６の下から上に向けて左のラインから右のラインへ向けて順に行われるものとする。そして、図３（ｃ）に示すように、読み出し開始位置を左上隅とする横長の画像として画像データを生成するものとする。
【００３７】
撮像素子２６から出力された画像データは、アナログ信号処理部３０に送られる。アナログ信号処理部３０は、サンプリングホールド回路、色分離回路、ゲイン調整回路等を含み、このアナログ処理部３０において、相関二重サンプリング（ＣＤＳ）処理並びにＲ，Ｇ，Ｂの各色信号に色分離処理され、各色信号の信号レベルの調整（プリホワイトバランス処理）が行われる。
【００３８】
アナログ信号処理部３０から出力された画像データは、Ａ／Ｄ変換器４０によりデジタル信号に変換された後、メモリ制御部４６により制御されるメインメモリ４８に格納される。
【００３９】
メインメモリ４８に格納された画像データは、バス７０を介してデジタル信号処理部５０に送られる。デジタル信号処理部５０は、輝度・色差信号生成回路、ガンマ補正回路、シャープネス補正回路、コントラスト補正回路、ホワイトバランス補正回路等を含むデジタルシグナルプロセッサ（ＤＳＰ）で構成された画像処理手段であり、ＣＰＵ４２からのコマンドに従って画像信号を処理する。
【００４０】
デジタル信号処理部５０に入力された画像データは、輝度信号（Ｙ信号）および色差信号（Ｃｒ，Ｃｂ  信号）に変換されるとともに、ガンマ補正等の所定の画像処理が施された後、メインメモリ４８に格納される。
【００４１】
メインメモリ４８に記憶された画像データは、ＣＰＵ４２の指令に従って読み出され、表示用メモリを備えた表示制御部６０に送られる。表示制御部６０に送られたデータは、表示用の所定方式の信号（例えば、ＮＴＳＣ方式のカラー複合映像信号）に変換された後、Ｄ／Ａされて表示部１１に出力される。これにより、当該画像データの画像内容が表示部１１に再生される。
【００４２】
撮像素子２６から出力される画像データによってメインメモリ４８の画像データが定期的に書き換えられ、その画像データが表示部１１に供給されることにより、撮像素子２６が捉える画像がリアルタイムに表示部１１に再生される。撮影者は、表示部１１に再生される画像により撮影画角を確認することができる。
【００４３】
撮影時には、操作部４４に含まれる第１から第３のいずれかのレリーズボタン１２Ａ、１７，１８の押下操作により記録開始指示信号が発せられ、これにより記録用の画像データの取り込みが開始される。画像データを圧縮して記録するモードが選択されている場合、ＣＰＵ４２は圧縮伸張処理部５２にコマンドを送り、これにより圧縮伸張処理部５２は、メインメモリ４８上の画像データをＪＰＥＧその他の所定の形式に従って圧縮する。圧縮された画像データは、メモリ制御部５６を介してメモリカード等の記録媒体５８に記録される。なお、非圧縮の画像データを記録するモード（非圧縮モード）が選択されている場合には、圧縮伸張処理部５２による圧縮処理を実施せずに、非圧縮のまま画像データが記録媒体５８に記録される。
【００４４】
この際、いずれのレリーズボタン１２Ａ、１７，１８が押下されたかを画像方向検出部６４が検出し、回転情報生成部６６がいずれのレリーズボタン１２Ａ，１７，１８が押下されたかに応じて、画像の回転を表す回転情報を生成する。そしてメモリ制御部５６が、生成された回転情報を画像データのタグ情報に記述することにより、回転情報を画像データに付与する。
【００４５】
ここで、第１の実施形態においては、すべてのレリーズボタン１２Ａ，１７，１８により撮影部１６に撮影動作を行わせることが可能であるが、携帯電話機１を構えた時の携帯電話機１の向きすなわち撮影姿勢に応じて、右手の人差し指により押下しやすいレリーズボタンは異なるものとなる。
【００４６】
例えば、図４（ａ）に示すように携帯電話機１を構えた場合は（以下第１の撮影姿勢とする）、第１のレリーズボタン１２Ａが押下しやすい位置にあるため第１のレリーズボタン１２Ａを押下することにより撮影動作が行われる。一方、図４（ｂ）に示すように携帯電話機１を構えた場合（以下第２の撮影姿勢とする）、第２のレリーズボタン１７が押下しやすい位置にあるため第２のレリーズボタン１７を押下することにより撮影動作が行われる。また、図４（ｃ）に示すように携帯電話機１を構えた場合（以下第３の撮影姿勢とする）、第３のレリーズボタン１８が押下しやすい位置にあるため第３のレリーズボタン１８を押下することにより撮影動作が行われる。
【００４７】
また、本実施形態においては、図３（ａ）に示すように撮像素子２６が縦長となるように携帯電話機１に内蔵されており、得られる画像データや図３（ｃ）に示すように横長であるため、第１の撮影姿勢により撮影を行う場合、撮像素子２６の撮影面には、図５（ａ）に示すように被写体像が結像するが、取得された画像データを再生することにより得られる画像は、図５（ｂ）に示すように結像した被写体像が時計回りに９０度回転した横長のものとなる。このため、画像データを反時計回りに９０度回転させることにより天地方向が正しい画像を再生することができる。したがって、画像方向検出部６４が第１のレリーズボタン１２Ａが押下されて第１の撮影姿勢により撮影が行われたことを検出した場合、回転情報生成部６６は画像データを反時計回りに９０度回転させる旨を表す回転情報を生成する。
【００４８】
一方、第２の撮影姿勢により撮影を行う場合、撮像素子２６の撮影面には、図５（ｃ）に示すように被写体像が結像し、得られる画像データを再生することにより得られる画像は、図５（ｄ）に示すように、何ら回転しなくても横長の状態で天地方向が正しいものとなる。このため、画像方向検出部６４が第２のレリーズボタン１７が押下されて第２の撮影姿勢により撮影が行われたことを検出した場合、回転情報生成部６６は画像データを何ら回転させない、すなわち回転が不要である旨を表す回転情報を生成する。
【００４９】
また、第３の撮影姿勢により撮影を行う場合、撮像素子２６の撮影面には、図５（ｅ）に示すように被写体像が結像するが、得られる画像データを再生することにより得られる画像は、図５（ｆ）に示すように横長で上下が逆の画像となる。このため、得られる画像データを１８０度回転させることにより天地方向が正しい画像を再生することができる。したがって、画像方向検出部６４が第３のレリーズボタン１８が押下されて第３の撮影姿勢により撮影が行われたことを検出した場合、回転情報生成部６６は画像データを１８０度回転させる旨を表す回転情報を生成する。
【００５０】
図６は、本実施形態において生成される画像データのファイル構造を示す図である。図６に示すように、画像ファイル１００には、ファイル種別等を表すヘッダ部１０２と、撮影情報等が記述されているタグ情報１０４と、撮影した画像データのサムネイル画像１０６と、撮影した画像データに基づいて生成された例えば１６００×１２００画素のサイズの主画像１０８とが記録されている。なお、サムネイル画像１０６は、主画像１０８の見出し等に利用される１６０×１２０画素サイズの画像である。
【００５１】
タグ情報１０４には、主画像１０８の画素数、圧縮の種類、撮影日時、撮影時の露出時間、主画像１０８の色空間および上述した回転情報等が記述されている。
【００５２】
実際には、タグ情報１０４に記述される情報はあらかじめ定められたタグ番号により特定される。例えば回転情報は２７４番のタグ番号が割り当てられており、どのように回転させるかが１から３の番号によりあらかじめ設定されている。例えば、「１」は何ら回転させない旨の回転情報を表し、「２」は反時計回りに９０度回転させる旨の回転情報を表し、「３」は１８０度回転させる旨の回転情報を表す。したがって、タグ情報１０４の回転情報にはこのような番号が記述される。
【００５３】
なお、第１の撮影姿勢により撮影を行った場合には回転情報は「２」となり、第２の撮影姿勢により撮影を行った場合には回転情報は「１」となり、第３の撮影姿勢により撮影を行った場合には回転情報は「３」となる。
【００５４】
一方、再生モード時には、操作部４４が再生する画像データの選択を受け付けると、メモリ制御部５６が記録媒体５８から画像データを読み出し、記録媒体５８から読み出された画像データが圧縮伸張処理部５２によって伸張処理され（圧縮されている場合）、表示制御部６０を介して表示部１１に出力される。この際、表示制御部６０が、画像データのタグ情報に記述された回転情報に基づいて、必要であれば画像データを回転するため、表示部１１に再生される画像は天地方向が正しい正視可能なものとなっている。
【００５５】
ＣＰＵ４２は、第１の実施形態による携帯電話機１の撮影に関する動作を制御する制御部である。ＣＰＵ４２は、ＲＯＭ４２ＡおよびＲＡＭ４２Ｂ等の記憶手段を備え、ＲＯＭ４２ＡにはＣＰＵ４２が処理するプログラムおよび制御に必要な各種データ等が格納され、ＲＡＭ４２ＢはＣＰＵ４２が各種の演算処理等を行う際の作業用エリアとして利用される。ＣＰＵ４２は、操作部４４からの入力信号に基づき、対応する回路の動作を制御するとともに、表示部１１における表示の制御、オートフォーカス（ＡＦ）制御および自動露出（ＡＥ）制御等を行う。
【００５６】
また、ＣＰＵ４２は、撮像素子２６から出力される画像データに基づいて、焦点評価値の演算およびＡＥ演算などの各種演算を行い、その演算結果に基づいてフォーカスモータを含むレンズ駆動部３２を制御してレンズを合焦位置に移動させるとともに、アイリスモータを含む絞り駆動部３４を制御して適正な絞りに設定し、かつ撮像素子２６の電荷蓄積時間を制御する。
【００５７】
以下ＡＥ、ＡＦ処理について説明する。
【００５８】
Ａ／Ｄ変換器４０から出力された信号は、ＡＥ／ＡＦ演算部５４に送信される。ＡＥ／ＡＦ演算部５４は、Ｒ、Ｇ、Ｂ信号を積算し、その積算値をＣＰＵ４２に送信する。ＣＰＵ４２は、入力された積算値に基づいて被写体の平均的な明るさ（被写体輝度）を検出し、撮影に適した露出値（撮影Ｅｖ値）を算出する。レリーズボタン１２Ａ，１７，１８の半押し時に、上述のＡＥ測光動作を複数回繰り返して正確な露出値を求める。求めた露出値と所定のプログラム線図に従い、撮影時の絞り値とシャッタースピードが決定される。そして、レリーズボタン１２Ａ，１７，１８の全押し時に、絞り駆動部３４および電子シャッターを制御して最適な露光量を得る。
【００５９】
また、ＡＥ／ＡＦ演算部５４は、Ａ／Ｄ変換器４０から出力されるＧ信号の高周波成分を抽出し、これの絶対値を求め、画面内（例えば、画面中央部）にあらかじめ設定されているフォーカス対象エリア（ＡＦエリアという。）内の信号を切り出す処理を行う。そして、ＡＦエリア内の絶対値データを積算し、得られた積算値（焦点評価値に相当）をＣＰＵ４２に送信する。
【００６０】
ＣＰＵ４２は、撮影レンズ２２を移動させながら、複数のＡＦ検出ポイントでＡＦ演算を行い、各ＡＦ検出ポイントで算出された焦点評価値を総合して、焦点評価値が最大となるところを合焦位置として決定する。そして、求めた合焦位置に撮影レンズ２２を移動させるようにレンズ駆動部３２を制御する。
【００６１】
次いで、上記のように構成された第１の実施形態による携帯電話機１の撮影時における動作について説明する。図７は撮影時の動作を示すフローチャートである。第１から第３のレリーズボタン１２Ａ，１７，１８のいずれかが押下されることにより処理が開始されると、撮影部１６が画像データを生成し（ステップＳ１）、メインメモリ４８に記録する（ステップＳ２）。そして、画像方向検出部６４が、第１から第３のレリーズボタン１２Ａ，１７，１８のうち、いずれのレリーズボタンが押下されたかを判定する（ステップＳ３）。
【００６２】
画像方向検出部６４が第１のレリーズボタン１２Ａが押下されたと判定した場合には、回転情報生成部６６が画像データを反時計回りに９０度回転させる旨を表す回転情報を生成する（ステップＳ４）。また、画像方向検出部６４が第２のレリーズボタン１７が押下されたと判定した場合には、回転情報生成部６６は画像データを何ら回転させない旨を表す回転情報、すなわち回転不要の回転情報を生成する（ステップＳ５）。画像方向検出部６４が第３のレリーズボタン１８が押下されたと判定した場合には、回転情報生成部６６が画像データを１８０度回転させる旨を表す回転情報を生成する（ステップＳ６）。
【００６３】
続いて、メモリ制御部５６が、回転情報生成部６６が生成した回転情報を画像データのタグ情報に記述することにより回転情報を画像データに付与し（ステップＳ７）、メモリ制御部５６が、回転情報が付与された画像データを記録媒体５８に記録し（ステップＳ８）、処理を終了する。
【００６４】
次いで、第１の実施形態による携帯電話機１において、記録媒体５８に記録された画像データの再生時において行われる処理について説明する。図８は画像データの再生時の動作を示すフローチャートである。撮影者が操作部４４を操作することにより、携帯電話機１のモードが再生モードに切り替えられると処理が開始され、ＣＰＵ４２が操作部４４により再生する画像データの選択を受け付け（ステップＳ１１）、選択された画像データを記録媒体５８から読み出して表示制御部６０に入力する（ステップＳ１２）。
【００６５】
表示制御部６０は画像データのタグ情報に記述された回転情報を参照して、画像データをどのように回転するかを判定する（ステップＳ１３）。回転情報が反時計回りに９０度回転する旨を表す場合、表示制御部６０は画像データを反時計回りに９０度回転し（ステップＳ１４）、回転した画像データを表示部１１に再生し（ステップＳ１５）、処理を終了する。
【００６６】
回転情報が回転不要である場合には、表示制御部６０は画像データを何ら回転することなく表示部１１に再生し（ステップＳ１５）、処理を終了する。
【００６７】
回転情報が１８０度回転する旨を表す場合、表示制御部６０は画像データを１８０度回転し（ステップＳ１６）、回転した画像データを表示部１１に再生し（ステップＳ１５）、処理を終了する。
【００６８】
このように、第１の実施形態においては、撮影時に押下されたレリーズボタンの位置に基づいて、再生時に画像データを正視可能とするために必要な回転に関する回転情報を生成し、この回転情報を画像データに付与しているため、画像データの再生時には回転情報を参照することにより、画像データを正視可能なように再生することが可能となる。このため、液体センサやおもりを利用したセンサのような大がかりなセンサを設けなくても、撮影姿勢に拘わらず、天地方向が正しい画像を再生することができる。
【００６９】
また、撮像素子２６の向きに応じて回転情報を生成することにより、撮像素子２６の向きに拘わらず再生時に正視可能なように回転情報に基づいて画像データを回転することができる。
【００７０】
なお、上記第１の実施形態においては、撮影により取得した画像データを記録媒体５８に記録しているが、電子メールに添付して送信してもよく、画像サーバに送信して画像データを画像サーバに保管するようにしてもよい。この場合、電子メールの送信先または画像サーバからの画像データのダウンロード先において、画像データに付与された回転情報に基づいて、必要であれば画像データを回転する処理が行われる。
【００７１】
次いで、本発明の第２の実施形態について説明する。図９は本発明の第２の実施形態による携帯電話機１における撮影に関わる部分の構成を示すブロック図である。なお、第２の実施形態において第１の実施形態と同一の構成については同一の参照番号を付し、ここでは詳細な説明は省略する。第２の実施形態による携帯電話機１は、第１の実施形態による携帯電話機１の回転情報生成部６６に代えて画像回転処理部６８を設け、いずれのレリーズボタン１２Ａ、１７，１８が押下されたかを画像方向検出部６４が検出し、画像回転処理部６８がいずれのレリーズボタン１２Ａ，１７，１８が押下されたかに応じて、画像データを回転するようにした点が第１の実施形態と異なる。
【００７２】
画像回転処理部６８は、画像方向検出部６４が第１のレリーズボタン１２Ａが押下されて第１の撮影姿勢により撮影が行われたことを検出した場合、画像データを反時計回りに９０度回転する処理を行う。
【００７３】
また、画像方向検出部６４が第２のレリーズボタン１７が押下されて第２の撮影姿勢により撮影が行われたことを検出した場合、画像回転処理部６８は画像データを何ら回転させない。
【００７４】
また、画像方向検出部６４が第３のレリーズボタン１８が押下されて第３の撮影姿勢により撮影が行われたことを検出した場合、画像回転処理部６８は画像データを１８０度回転させる処理を行う。
【００７５】
次いで、上記のように構成された第２の実施形態による携帯電話機１の撮影時における動作について説明する。図１０は第２の実施形態による携帯電話機１の撮影時の動作を示すフローチャートである。第１から第３のレリーズボタン１２Ａ，１７，１８のいずれかが押下されることにより処理が開始されると、撮影部１６が画像データを生成し（ステップＳ２１）、メインメモリ４８に記録する（ステップＳ２２）。そして、画像方向検出部６４が、第１から第３のレリーズボタン１２Ａ，１７，１８のうちいずれのレリーズボタンが押下されたかを判定する（ステップＳ２３）。
【００７６】
画像方向検出部６４が第１のレリーズボタン１２Ａが押下されたと判定した場合には、画像回転処理部６８が画像データを反時計回りに９０度回転する（ステップＳ２４）。そして、メモリ制御部５６が回転された画像データを記録媒体５８に記録し（ステップＳ２５）、処理を終了する。
【００７７】
また、画像方向検出部６４が第２のレリーズボタン１７が押下されたと判定した場合には、画像回転処理部６８は画像データを何ら回転させることなくメモリ制御部５６に送信し、メモリ制御部５６が画像データを記録媒体５８に記録し（ステップＳ２５）、処理を終了する。
【００７８】
さらに、画像方向検出部６４が第３のレリーズボタン１８が押下されたと判定した場合には、画像回転処理部６８が画像データを１８０度回転する（ステップＳ２６）。そして、メモリ制御部５６が回転された画像データを記録媒体５８に記録し（ステップＳ２５）、処理を終了する。
【００７９】
このように、第２の実施形態においては、撮影時に押下されたレリーズボタンの位置に基づいて、再生時に画像データを正視可能なように画像データを回転しているため、再生時に画像データに何ら処理を施さなくても、画像データを正視可能なように再生することが可能となる。このため、液体センサやおもりを利用したセンサのような大がかりなセンサを設けなくても、撮影姿勢に拘わらず、天地方向の正しい画像を再生することができる。
【００８０】
また、撮像素子２６の向きに応じて画像データを回転することにより、撮像素子２６の向きに拘わらず再生時に正視可能なように画像データを回転することができる。
【００８１】
なお、上記第２の実施形態においては、一旦生成された画像データを回転しているが、撮像素子２６から画像データを読み出してメインメモリ４８に記録する際に、押下されたレリーズボタン１２Ａ，１７，１８の位置に応じて、画像データを回転させつつメインメモリ４８に記録するようにしてもよい。また、押下されたレリーズボタン１２Ａ，１７，１８の位置に応じて、画像データを回転させつつ撮像素子２６から読み出すようにしてもよい。
【００８２】
次いで、本発明の第３の実施形態について説明する。図１１は本発明の第３の実施形態による撮影装置を適用したデジタルカメラの構成を示す背面図である。図１１に示すように、第３の実施形態によるデジタルカメラ３には、画像データおよび各種情報を表示する液晶モニタ等からなる表示部１１１と、上記第１の実施形態による第１から第３のレリーズボタン１２Ａ，１７，１８に対応する第１から第３のレリーズボタン１１２，１１７，１１８と、撮影時に被写体を確認するためのファインダ１２０と、撮影モード、再生モード等のモードを切り替えるモード切替ボタン１２１と、各種設定を確定するためのセットボタン１２２と、表示部１１１に表示されるコマンドを切り替えたり、再生される画像を切り替えたりするためのカーソルキー１２３とを備える。なお、図示はしていないがデジタルカメラ３の正面側には撮影レンズが設けられている。
【００８３】
ここで、第３の実施形態によるデジタルカメラ３は、図２に示す携帯電話機１の撮影に関わる部分と同一の構成を有し、撮影時においていずれのレリーズボタン１１２，１１７，１１８が押下されたかに応じた回転情報を生成して、撮影により取得した画像データに付与するようにしたものである。
【００８４】
なお、デジタルカメラ３においては、撮像素子２６は、表示部１１１を横長に観察することができる状態、すなわち通常の使用状態において、図１２（ａ）に示すようにように横長となるように携帯電話機１に内蔵されており、撮影時における信号の読み出しは、図１２（ｂ）に示すように撮像素子２６の左から右に向けて上のラインから下側へ向けて順に行われるものとする。そして、図１２（ｃ）に示すように、読み出し開始位置を左上隅とする横長の画像として画像データを生成するものとする。
【００８５】
そして、図１３（ａ）に示すようにデジタルカメラ３を構えた場合は（以下第１の撮影姿勢とする）、第１のレリーズボタン１１２が押下しやすい位置にあるため第１のレリーズボタン１１２を押下することにより撮影動作が行われる。一方、図１３（ｂ）に示すようにデジタルカメラ３を構えた場合（以下第２の撮影姿勢とする）、第２のレリーズボタン１１７が押下しやすい位置にあるため第２のレリーズボタン１１７を押下することにより撮影動作が行われる。図１３（ｃ）に示すようにデジタルカメラ３を構えた場合（以下第３の撮影姿勢とする）、第３のレリーズボタン１１８が押下しやすい位置にあるため第３のレリーズボタン１１８を押下することにより撮影動作が行われる。
【００８６】
また、本実施形態においては、図１２（ａ）に示すように横長に撮像素子２６が配されており、得られる画像データは図１２（ｃ）に示すように横長であるため、第１の撮影姿勢より撮影を行う場合、撮像素子２６の撮影面には、図１４（ａ）に示すように被写体像が結像し、得られる画像データを再生することにより得られる画像は、図１４（ｂ）に示すように何ら回転しなくても横長の状態で天地方向が正しいものとなっている。このため、画像方向検出部６４が第１のレリーズボタン１１２が押下されて第１の撮影姿勢により撮影が行われたことを検出した場合、回転情報生成部６６は画像データを何ら回転させない旨を表す回転情報を生成する。
【００８７】
一方、第２の撮影姿勢により撮影を行う場合、撮像素子２６の撮影面には、図１４（ｃ）に示すように被写体像が結像するが、得られる画像データを再生することにより得られる画像は、図１４（ｂ）に示すように結像した被写体像が反時計回りに９０度回転した横長のものとなる。このため、得られる画像データを時計回りに９０度回転させることにより天地方向が正しい画像を再生することができる。したがって、画像方向検出部６４が第２のレリーズボタン１１７が押下されて第２の撮影姿勢により撮影が行われたことを検出した場合、回転情報生成部６６は画像データを時計回りに９０度回転させる旨を表す回転情報を生成する。
【００８８】
また、第３の撮影姿勢により撮影を行う場合、撮像素子２６の撮影面には、図１４（ｅ）に示すように被写体像が結像するが、得られる画像データを再生することにより得られる画像は、図１４（ｆ）に示すように結像した被写体像が時計回りに９０度回転した横長のものとなる。このため、得られる画像データを反時計回りに９０度回転させることにより天地方向が正しい画像を再生することができる。したがって、画像方向検出部６４が第３のレリーズボタン１１８が押下されて第３の撮影姿勢により撮影が行われたことを検出した場合、回転情報生成部６６は画像データを反時計回りに９０度回転させる旨を表す回転情報を生成する。
【００８９】
そして、第３の実施形態においては上記第１の実施形態による携帯電話機１と同様に、撮影により取得された画像データに回転情報が付与されて記録媒体５８に記録される。再生時には画像データに付与された回転情報を参照して画像データを回転することにより、天地方向が正しい正視可能な画像を再生することができる。
【００９０】
次いで、本発明の第４の実施形態について説明する。第４の実施形態は上記第３の実施形態によるデジタルカメラ３において、第２の実施形態による携帯電話機１と同様に、いずれのレリーズボタン１１２Ａ、１１７，１１８が押下されたかを画像方向検出部６４が検出し、画像回転処理部６８がいずれのレリーズボタン１１２Ａ，１１７，１１８が押下されたかに応じて、画像データを回転するようにした点が第３の実施形態と異なる。
【００９１】
このように、第４の実施形態によるデジタルカメラ３において、撮影時に押下されたレリーズボタンの位置に基づいて、再生時に画像データを正視可能なように画像データを回転することにより、再生時に画像データに何ら処理を施さなくても、天地方向が正しい画像を再生することができる。
【００９２】
次いで、本発明の第５の実施形態について説明する。図１５は本発明の第５の実施形態による撮影装置を適用したデジタルカメラの構成を示す背面図である。なお、第５の実施形態において第３および第４の実施形態と同一の構成については同一の参照番号を付し、ここでは詳細な説明は省略する。第５の実施形態によるデジタルカメラ４は、第３および第４の実施形態によるデジタルカメラ３の表示部１１をタッチパネル方式の表示部１３１とし、第１から第３のレリーズボタン１１２，１１７，１１８に代えて、表示部１３１に第１から第３のレリーズボタン１３２，１３７，１３８を表示して、撮影者がレリーズボタン１３２，１３７，１３８にタッチすることにより、デジタルカメラ４に撮影動作を行わせるようにした点が第３および第４の実施形態のデジタルカメラ３と異なる。
【００９３】
第１から第３のレリーズボタン１３２，１３７，１３８は、撮影により取得される画像の天地が分かるような画像となっている。本実施形態においては、人物の上半身の画像となっているが、矢印等の記号や文字を用いてもよい。
【００９４】
第１から第３のレリーズボタン１３２，１３７，１３８のそれぞれにタッチする場合の撮影姿勢は、上記第３の実施形態によるデジタルカメラ３の第１から第３のレリーズボタン１１２，１１７，１１８を押下する場合の撮影姿勢にそれぞれ対応している。すなわち、図１６（ａ）に示すように第１の撮影姿勢となるようにデジタルカメラ３を構えた場合は、第１のレリーズボタン１３２が正視可能となるため第１のレリーズボタン１３２にタッチすることにより撮影動作が行われる。一方、図１６（ｂ）に示すように第２の撮影姿勢となるようにデジタルカメラ３を構えた場合、第２のレリーズボタン１３７が正視可能となるため第２のレリーズボタン１３７にタッチすることにより撮影動作が行われる。図１６（ｃ）に示すように第３の撮影姿勢となるようにデジタルカメラ３を構えた場合、第３のレリーズボタン１３８が正視可能となるため第３のレリーズボタン１３８にタッチすることにより撮影動作が行われる。
【００９５】
このように、タッチパネル方式の表示部１３１にレリーズボタン１３２，１３７，１３８を表示することにより、視覚的に撮影動作を行うことができる。
【００９６】
また、レリーズボタン１３２，１３７，１３８を撮影姿勢を表す画像により表示部１３１に表示しているため、いずれのレリーズボタンにタッチすれば天地方向が正しい画像を再生可能なように撮影を行うことができるかを一見して認識でき、これにより、撮影動作を行いやすくすることができる。
【００９７】
なお、上記第５の実施形態におけるタッチパネル式のレリーズボタンを上記第１および第２の実施形態の携帯電話機１にも適用することができる。
【００９８】
また、上記第１および第２の実施形態においては、本発明による撮影装置を携帯電話機１に適用しているが、カメラ付きのＰＤＡ等の携帯端末装置に対しても本発明による撮影装置を適用できる。
【００９９】
また、上記各実施形態においては、３つのレリーズボタンを用いているが、レリーズボタンの数はこれに限定されるものではない。
【０１００】
また、上記各実施形態においては、携帯電話機およびデジタルカメラ等の撮影装置における９０度単位で回転した撮影姿勢となる位置にレリーズボタンを設け、時計回り９０度、反時計回り９０度および１８０度というように９０度単位で画像データを回転しているが、撮影姿勢に応じた任意の位置にレリーズボタンを設け、操作されたレリーズボタンの位置に応じた任意の回転角度により画像データを回転してもよい。
【図面の簡単な説明】
【図１】本発明の第１の実施形態による撮影装置を適用したカメラ付きの携帯電話機の構成を示す図
【図２】第１の実施形態による携帯電話機における撮影に関わる部分の構成を示すブロック図
【図３】第１の実施形態における撮像素子の内蔵のされ方、信号の読み出しおよび画像データの生成の仕方を説明するための図
【図４】携帯電話機の撮影姿勢を示す図
【図５】撮像素子への結像および得られる画像の天地方向を説明するための図
【図６】画像データのファイル構造を示す図
【図７】第１の実施形態の撮影時の動作を示すフローチャート
【図８】画像データの再生時の動作を示すフローチャート
【図９】第２の実施形態による携帯電話機における撮影に関わる部分の構成を示すブロック図
【図１０】第２の実施形態の撮影時の動作を示すフローチャート
【図１１】本発明の第３の実施形態による撮影装置を適用したデジタルカメラの構成を示す背面図
【図１２】撮像素子の内蔵のされ方、信号の読み出しおよび画像データの生成の仕方を説明するための図
【図１３】第３の実施形態によるデジタルカメラの撮影姿勢を示す図
【図１４】撮像素子への結像および得られる画像の天地方向を説明するための図
【図１５】本発明の第５の実施形態による撮影装置を適用したデジタルカメラの構成を示す背面図
【図１６】第５の実施形態によるデジタルカメラの撮影姿勢を示す図
【図１７】従来技術における撮像素子の内蔵のされ方、信号の読み出しおよび画像データの生成の仕方を説明するための図
【図１８】従来技術における携帯電話機の撮影姿勢を示す図
【符号の説明】
１    携帯電話機
３，４    デジタルカメラ
１１，１１１，１３１    表示部
１２Ａ、１１２，１３２    第１のレリーズボタン
１６    撮影部
１７，１１７，１３７    第２のレリーズボタン
１８，１１８，１３８    第３のレリーズボタン
２６    撮像素子
６４    画像方向検出部
６６    回転情報生成部
６８    画像回転処理部
【図１】
2004336536.tif 000003
【図２】
2004336536.tif 000004
【図３】
2004336536.tif 000005
【図４】
2004336536.tif 000006
【図５】
2004336536.tif 000007
【図６】
2004336536.tif 000008
【図７】
2004336536.tif 000009
【図８】
2004336536.tif 000010
【図９】
2004336536.tif 000011
【図１０】
2004336536.tif 000012
【図１１】
2004336536.tif 000013
【図１２】
2004336536.tif 000014
【図１３】
2004336536.tif 000015
【図１４】
2004336536.tif 000016
【図１５】
2004336536.tif 000017
【図１６】
2004336536.tif 000018
【図１７】
2004336536.tif 000019
【図１８】
2004336536.tif 000020